(57)【要約】      （修正有）【課題】キューブ型から略枡型に変形するペット用に使用されるベッドを提供する。【解決手段】ペット用ベッドは、正面、背面、右側面、左側面、上面および底面からなるキューブ型を有しており、正面、背面、右側面および左側面が、それらの中間部にある水平方向の縫目によって、２つの略長方形に２分割されており、正面の２つに分割された略長方形には、対向することによって開口部を形成する略半円形状の欠けがそれぞれ設けられており、上面の内面と底面の内面とを重ね合わせること、および開口部の存在によって、正面、背面、右側面および左側面が、中間部の水平方向の縫目を中心にして折りたたまれたとき、キューブ型から略枡型に変形する。【選択図】図７
0003215280.tif 000002
【実用新案登録請求の範囲】
【請求項１】
正面、背面、右側面、左側面、上面および底面からなるキューブ型を有しており、
上記正面、背面、右側面および左側面が、それらの中間部にある水平方向の縫目によって、２つの略長方形に２分割されており、
上記正面の上記２つに分割された略長方形には、対向することによって開口部を形成する略半円形状の欠けがそれぞれ設けられており、
上記上面の内面と上記底面の内面とを重ね合わせること、および上記開口部の存在によって、上記正面、背面、右側面および左側面が、上記中間部の水平方向の縫目を中心にして折りたたまれたとき、上記キューブ型から略枡型に変形する、
ペット用ベッド。
【請求項２】
略枡型に変形している上記ペット用ベッドにおいて、（１）折りたたまれている上記正面、背面、右側面および左側面のそれぞれと上記上面との境界部分、ならびに（２）当該上面が、枡の平らな底を形成している、請求項１に記載のペット用ベッド。
【考案の詳細な説明】
【技術分野】
【０００１】
本考案はペット用ベッドに関する。
【考案の概要】
【考案が解決しようとする課題】
【０００２】
キューブ型ベッドの形態から、略枡型ベッドの形態に変化することができるペット用ベッドを提供することを目的とする。
【課題を解決するための手段】
【０００３】
正面、背面、右側面、左側面、上面および底面からなるキューブ型を有しており、上記正面、背面、右側面および左側面が、それらの中間部にある水平方向の縫目によって、２つの略長方形に２分割されており、上記正面の上記２つに分割された略長方形には、対向することによって開口部を形成する略半円形状の欠けがそれぞれ設けられており、上記上面の内面と上記底面の内面とを重ね合わせること、および上記開口部の存在によって、上記正面、背面、右側面および左側面が、上記中間部の水平方向の縫目を中心にして折りたたまれたとき、上記キューブ型から略枡型に変形する、ペット用ベッド。
【考案の効果】
【０００４】
キューブ型ベッドの形態から、略枡型ベッドの形態に変化することができる。
【図面の簡単な説明】
【０００５】
【図１】本考案のペット用ベッドの正面図である。
【図２】本考案のペット用ベッドの背面図である。
【図３】本考案のペット用ベッドの右側面図である。
【図４】本考案のペット用ベッドの左側面図である。
【図５】本考案のペット用ベッドの平面図である。
【図６】本考案のペット用ベッドの底面図である。
【図７】本考案のペット用ベッドの参考斜視図（１）である。
【図８】本考案のペット用ベッドの参考斜視図（２）である。
【図９】本考案のペット用ベッドの、変化途中の、斜視図（１）である。
【図１０】本考案のペット用ベッドの、変化途中の、斜視図（２）である。
【図１１】本考案のペット用ベッドの、変化後の、斜視図（１）である。
【図１２】本考案のペット用ベッドの、変化後の、斜視図（２）である。
【図１３】本考案のペット用ベッドの、変化後の、正面図である。
【図１４】本考案のペット用ベッドの、変化後の、背面図である。
【図１５】本考案のペット用ベッドの、変化後の、右側面図である。
【図１６】本考案のペット用ベッドの、変化後の、左側面図である。
【図１７】本考案のペット用ベッドの、変化後の、平面図（１）である。
【図１８】本考案のペット用ベッドの、変化後の、平面図（２）である。
【図１９】本考案のペット用ベッドに備えられている中敷の正面図である。
【図２０】本考案のペット用ベッドに備えられている中敷の底面図である。
【考案を実施するための形態】
【０００６】
〔考案に係る物品の説明〕
本物品は、主に犬や猫などのペット用に使用されるベッドである。キューブ型ベッドの形態から、略枡型ベッドの形態に変化することができる。本物品の底面部にはアーチ状の縫目を有し、そのアーチ状の縫目を利用して、半円に模られた孔部を３箇所有している。この孔部は、キューブ型ベッドもしくは略枡型ベッドの内部の底面部に設置された暖房器具等の電源ケーブル等を通す際に使用される。本物品はリバーシブルの中敷を有するペット用ベッドである。
【０００７】
〔考案の説明〕
各図の周辺部に表された色彩（グレー色）は、形状を明確にするための背景色である。また、各図の背景色を除いた形状が、本実用新案登録出願のペット用ベッドとする。
【０００８】
（材質）
キューブ型ベッドの正面、背面、側面、上面の表面は肌触りに優れた化学繊維でできており、それぞれの裏側は保温性に優れている起毛繊維でできている。本物品の底面は合成繊維でできている。
【０００９】
（形態変化）
「正面図」、「背面図」、「右側面図」、「左側面図」（図１〜４）で示されるように、キューブ型ベッドにおいて、本物品の正面、背面、左右の表面は中間部で直線状に縫い合わされて上下に２分割されている。このため、「正面図」、「背面図」、「右側面図」、「左側面図」（図１〜４）のそれぞれの表面は、６つの略長方形と、２つの半円形状が欠けた略長方形に分割されている。このため「変化の途中の斜視図（１）」、「変化の途中の斜視図（２）」（図９及び１０）に示されるように、キューブ型ベッド状態であっても、各々の分割線の縫目によって得られた弾力性を利用して、略枡型ベッドに変形することができる。キューブ型ベッドの上面を略枡型ベッドの底面部とすることで、略枡型ベッドに形態を変化することができる。このように、正面、背面、左右の側面を２分割することで、これらの表面側のいずれからも底面側に向かって折り込むことを容易にしている。
【００１０】
（中敷）
「参考斜視図（１）」、「参考斜視図（２）」、「変化後の斜視図（１）」、「変化後の斜視図（２）」、「中敷の平面図」、「中敷の底面図」（図７、８、１１、１２、１９及び２０）で示されるように、キューブ型ベッドの内部底面には、表面に使用されている生地と、裏側に使用されている生地を用いた略四角形状の中敷きが保温性や暖房器具を保護する目的でキューブ型ベッドの底面部に敷かれ、略枡型ベッドの形態に変化した際は、その中敷を「変化後の平面図（２）」に示すように、寝床となる略枡型の底面（キューブ型の上面）に移動させ、底面部に敷いて使用する。このため、いずれの形態でもペット用ベッドとして機能する。なお、「中敷の底面図」（図２０）を上面にした状態で略枡型ベッドに敷いた例は、省略するものとする。また、中敷の正面図、背面図、左右側面図も同様に省略する。
【図１】
0003215280.tif 000003
【図２】
0003215280.tif 000004
【図３】
0003215280.tif 000005
【図４】
0003215280.tif 000006
【図５】
0003215280.tif 000007
【図６】
0003215280.tif 000008
【図７】
0003215280.tif 000009
【図８】
0003215280.tif 000010
【図９】
0003215280.tif 000011
【図１０】
0003215280.tif 000012
【図１１】
0003215280.tif 000013
【図１２】
0003215280.tif 000014
【図１３】
0003215280.tif 000015
【図１４】
0003215280.tif 000016
【図１５】
0003215280.tif 000017
【図１６】
0003215280.tif 000018
【図１７】
0003215280.tif 000019
【図１８】
0003215280.tif 000020
【図１９】
0003215280.tif 000021
【図２０】
0003215280.tif 000022